【手続補正書】
【提出日】平成30年4月20日(2018.4.20)
【手続補正１】
【補正対象書類名】特許請求の範囲
【補正対象項目名】全文
【補正方法】変更
【補正の内容】
【特許請求の範囲】
【請求項１】
電圧制御型発振器（ＶＣＯ）レギュレータ回路であって、
第１の電圧レギュレータへの第１の入力電圧を調整するための前記第１の電圧レギュレータと、ここで、前記第１の電圧レギュレータは、Ｐ型金属酸化膜半導体（ＰＭＯＳ）パス素子を含み、
第２の電圧レギュレータへの第２の入力電圧を調整するための前記第２の電圧レギュレータと、ここで、前記第２の電圧レギュレータは、Ｎ型金属酸化膜半導体（ＮＭＯＳ）パス素子を含み、前記第１の電圧レギュレータは、前記第２の電圧レギュレータに接続される、
を備え、
電圧モードを選択し、選択された前記電圧モードに基づいて、前記第１の電圧レギュレータ又は前記第２の電圧レギュレータのうちの少なくとも１つを選択的にアクティブにするための切替え回路
をさらに備えることを特徴とし、
前記切替え回路は、前記ＶＣＯレギュレータ回路に接続されたＶＣＯの影響に基づいて前記電圧モードを選択するように、及び、前記影響に基づいて前記第１の電圧レギュレータ又は前記第２の電圧レギュレータのうちの前記少なくとも１つを選択的にアクティブにするように構成される、レギュレータ回路。
【請求項２】
前記第１の電圧レギュレータ及び前記第２の電圧レギュレータは、直列に接続される、請求項１に記載のレギュレータ回路。
【請求項３】
前記第１の電圧レギュレータ及び前記第２の電圧レギュレータは、並列に接続される、請求項１に記載のレギュレータ回路。
【請求項４】
前記第１の電圧レギュレータは、２つの段において前記第１の入力電圧を増幅するための二段式増幅器回路を含む、請求項１に記載のレギュレータ回路。
【請求項５】
前記第２の電圧レギュレータは、２つの段において前記第２の入力電圧を増幅するための二段式増幅器回路を含む、請求項１に記載のレギュレータ回路。
【請求項６】
前記第２の電圧レギュレータは、ポールキャンセレーション回路を含む、請求項１に記載のレギュレータ回路。
【請求項７】
前記第２の電圧レギュレータは、キャパシタ及び抵抗器を含み、前記抵抗器の一端は、前記キャパシタに接続され、前記抵抗器の別の端は、前記ＮＭＯＳパス素子のソースに接続される、請求項１に記載のレギュレータ回路。
【請求項８】
前記第１の電圧レギュレータ及び前記第２の電圧レギュレータは、異なる入力インピーダンス及び出力インピーダンスを有する、請求項１に記載のレギュレータ回路。
【請求項９】
電圧制御型発振器（ＶＣＯ）レギュレータ回路による方法であって、
第１の電圧レギュレータへの第１の入力電圧を、前記第１の電圧レギュレータを介して調整することと、ここで、前記第１の電圧レギュレータは、Ｐ型金属酸化膜半導体（ＰＭＯＳ）パス素子を含む、
第２の電圧レギュレータへの第２の入力電圧を、前記第２の電圧レギュレータを介して調整することと、ここで、前記第２の電圧レギュレータは、Ｎ型金属酸化膜半導体（ＮＭＯＳ）素子を含み、前記第１の電圧レギュレータは、前記第２の電圧レギュレータに接続される、
を備え、
選択された電圧モードに基づいて、前記第１の電圧レギュレータ又は前記第２の電圧レギュレータのうちの少なくとも１つを選択的にアクティブにするために、切替え回路を介して、前記電圧モードを選択すること
をさらに備えることを特徴とし、
前記電圧モードは、前記ＶＣＯレギュレータ回路に接続されたＶＣＯの影響に基づいて、及び、前記影響に基づいて前記第１の電圧レギュレータ又は前記第２の電圧レギュレータのうちの前記少なくとも１つを選択的にアクティブにために、選択される、
方法。
【手続補正２】
【補正対象書類名】明細書
【補正対象項目名】００５５
【補正方法】変更
【補正の内容】
【００５５】
[0065]先の説明は、当業者による、本明細書に説明された様々な態様の実施を可能にするために提供される。これらの態様に対する様々な修正は、当業者には容易に明らかとなり、本明細書において定義された包括的な原理は、他の態様に適用され得る。故に、特許請求の範囲は、本明細書で示された態様に限定されることを意図しておらず、特許請求の範囲の文言と一致する全範囲が付与されるべきものであり、ここにおいて、単数形の要素への参照は、そのように明記されていない限り、「１つ及び１つのみ」を意味することを意図するものではなく、「１つ又は複数」を意味する。別途明記されていない限り、「何等かの／幾つかの」という用語は、１つ又は複数を指す。当業者に知られているか又は後に知られることとなる、本開示全体にわたって説明された様々な態様の要素と構造的及び機能的に同等なものは全て、参照によって本明細書に明確に組み込まれ、そして特許請求の範囲によって包含されることが意図される。更に、本明細書に開示されたものは何れも、そのような開示が特許請求の範囲に明示的に記載されているかどうかに関わらず、公に献呈されることを意図するものではない。何れの請求項の要素も、その要素が「〜ための手段」という表現を使用して明記されていない限り、ミーンズプラスファンクション（means plus function）として解釈されるべきではない。
以下に本願発明の当初の特許請求の範囲に記載された発明を付記する。
［Ｃ１］
レギュレータ回路であって、
第１の電圧レギュレータへの第１の入力電圧を調整するための前記第１の電圧レギュレータと、ここで、前記第１の電圧レギュレータは、Ｐ型金属酸化膜半導体（ＰＭＯＳ）を含み、
第２の電圧レギュレータへの第２の入力電圧を調整するための前記第２の電圧レギュレータと、ここで、前記第２の電圧レギュレータは、Ｎ型金属酸化膜半導体（ＮＭＯＳ）を含み、前記第１の電圧レギュレータは、前記第２の電圧レギュレータに接続され、
前記第１の電圧レギュレータ又は前記第２の電圧レギュレータのうちの少なくとも１つを選択的にアクティブにするための切替え回路と
を備えるレギュレータ回路。
［Ｃ２］
前記切替え回路は、前記第１の電圧レギュレータ又は前記第２の電圧レギュレータのうちの少なくとも１つを、ノイズに基づいて選択的にアクティブにする、Ｃ１に記載のレギュレータ回路。
［Ｃ３］
前記第１の電圧レギュレータ及び前記第２の電圧レギュレータは、直列に接続される、Ｃ１に記載のレギュレータ回路。
［Ｃ４］
前記第１の電圧レギュレータ及び前記第２の電圧レギュレータは、並列に接続される、Ｃ１に記載のレギュレータ回路。
［Ｃ５］
前記第１の電圧レギュレータは、２つの段において前記第１の入力電圧を増幅するための二段式増幅器回路を含む、Ｃ１に記載のレギュレータ回路。
［Ｃ６］
前記第２の電圧レギュレータは、２つの段において前記第２の入力電圧を増幅するための二段式増幅器回路を含む、Ｃ１に記載のレギュレータ回路。
［Ｃ７］
前記第２の電圧レギュレータは、ポールキャンセレーション回路を含む、Ｃ１に記載のレギュレータ回路。
［Ｃ８］
前記第２の電圧レギュレータは、キャパシタ及び抵抗器を含み、前記抵抗器の一端は、前記キャパシタに接続され、前記抵抗器の別の端は、前記ＮＭＯＳのソースに接続される、Ｃ１に記載のレギュレータ回路。
［Ｃ９］
前記第１の電圧レギュレータ及び前記第２の電圧レギュレータは、入力電圧調整の程度を変更するように調節可能である、Ｃ１に記載のレギュレータ回路。
［Ｃ１０］
前記第１の電圧レギュレータ及び前記第２の電圧レギュレータは、異なる入力インピーダンス及び出力インピーダンスを有する、Ｃ１に記載のレギュレータ回路。
［Ｃ１１］
レギュレータ回路による方法であって、
第１の電圧レギュレータへの第１の入力電圧を、前記第１の電圧レギュレータを介して調整することと、ここで、前記第１の電圧レギュレータは、Ｐ型金属酸化膜半導体（ＰＭＯＳ）を含む、
第２の電圧レギュレータへの第２の入力電圧を、前記第２の電圧レギュレータを介して調整することと、ここで、前記第２の電圧レギュレータは、Ｎ型金属酸化膜半導体（ＮＭＯＳ）を含み、前記第１の電圧レギュレータは、前記第２の電圧レギュレータに接続され、
前記第１の電圧レギュレータ又は前記第２の電圧レギュレータのうちの少なくとも１つを、切替え回路を介して選択的にアクティブにすることと
を備える方法。
［Ｃ１２］
前記第１の電圧レギュレータ又は前記第２の電圧レギュレータのうちの前記少なくとも１つは、ノイズに基づいて選択的にアクティブにされる、Ｃ１１に記載の方法。
［Ｃ１３］
レギュレータ回路であって、
第１の入力電圧を調整するための手段への前記第１の入力電圧を調整するための前記手段と、ここで、前記第１の入力電圧を調整するための前記手段は、Ｐ型金属酸化膜半導体（ＰＭＯＳ）を含み、
第２の電圧を調整するための手段への前記第２の入力電圧を調整するための前記手段と、ここで、前記第２の電圧を調整するための前記手段は、Ｎ型金属酸化膜半導体（ＮＭＯＳ）を含み、前記第１の入力電圧を調整するための前記手段は、前記第２の電圧を調整するための前記手段に接続され、
前記第１の入力電圧を調整するための前記手段又は前記第２の電圧を調整するための前記手段のうちの少なくとも１つを選択的にアクティブにするための手段と
を備えるレギュレータ回路。
［Ｃ１４］
選択的にアクティブにするための前記手段は、前記第１の入力電圧を調整するための前記手段又は前記第２の電圧を調整するための前記手段のうちの少なくとも１つを、ノイズに基づいて選択的にアクティブにするように構成される、Ｃ１３に記載のレギュレータ回路。